(57)【要約】     【課題】  本願発明は、目の不自由な方が貼り付け容易な、指で触れて確認し、貼り付ける先の位置が分かるブラインド形状を有するパック用シートを提供する。    【解決手段】  顔面の少なくとも一部の目的位置を覆うシート体であり、顔面の少なくとも一部の目的位置に接触させる接触領域にブラインド形状を有し、接触領域を目的位置に導いて貼り付けられるシート体。【選択図】図２
2018023623.tif 000002
【特許請求の範囲】
【請求項１】
不織布シートからなる顔面の少なくとも一部を覆うシート体であり、前記シート体は、前記顔面の少なくとも一部の目的位置に接触させる接触領域にブラインド形状を有し、前記接触領域に備える前記ブラインド形状に指で触れて摘まみ又は引っ掛けて、前記接触領域を前記顔面の少なくとも一部の前記目的位置に導いて貼り付けられることを特長とするシート体。
【請求項２】
前記シート体に液剤を有する請求項１に記載のシート体。
【請求項３】
前記不織布シートは、自然繊維と化学繊維を絡ませてなる請求項１に記載のシート体。
【請求項４】
前記目的位置は、左右の額部、左右の両眼部及び左右の耳部のいずれかである請求項１に記載のシート体。
【請求項５】
前記ブラインド形状のうち少なくとも２つが、左右対称の位置に形成されている請求項１に記載のシート体。
【請求項６】
前記顔面の少なくとも１つの凹部又は凸部に対向する領域に、鼻筋に沿って縦方向もしくはやや斜め方向のミシン目状の切り込み線を複数列有する請求項１に記載のシート体。
【発明の詳細な説明】
【技術分野】
【０００１】
本発明は、ブラインド形状を備えたパック用シートに関する。
【背景技術】
【０００２】
従来品に、不織布シートで構成され、化粧用の薬液を含浸させて、顔面を覆い貼り付けるフェイスマスクがある。
【０００３】
加えて、不織布で構成された左右双方に耳部や機械の治具に掛け止めるためのフェイスマスクがある。
【０００４】
しかしながら以下の先行技術に、本願発明が開示する発明が記述されていない。
【０００５】
特開２００４−２６２９０１号の、パック用フェイスマスクシートに、顔面に対する液体の供給量が、特定の部分において他の部分と異なる、シートの厚さ、高吸収水性のポリマを有するパック用フェイスマスク。
【０００６】
特許第４４９２９８０号公報の、不織布の引っ張る縦の方向に鼻筋縦の方向を合わせて、ミシン目状の切込み線を複数列配して打ち抜かれるフェイスマスクがある。
【０００７】
特開２００９−０３９１６９号の、合成樹脂シートと不織布シートが合わされて接着されて、不織布シートが左右対称に面接触され周縁を剥離可能にシールされた化粧シートがある。
【０００８】
特許第５５８３７９９号公報の、第１のシート材と第2のシート材とを、人の顔の額から鼻頭までの間、鼻下から上唇の上方までの間、下唇の下方から顎先に至る間のそれぞれに対応する部分において、顔面の中央ラインの形状に沿うように、凹凸線状に接合したことを特徴とする立体フェイスマスク。
【０００９】
特開２０１０−０６９２８７号の、顔面の正中線に対向する縁部が互いに対象形状の左側シート及び右側シートからなり、端部は、外側に凸部となる形状を有し、接着した立体フェイスマスク。
【００１０】
国際公開第２０１４／１４０６６３号公報の、皮膚にプレッシャーを加える自然素材の不織布シートとポリオレフィン系の不織布シート複数を積層して、左右双方の端部に切り欠き部とシールされた領域を備えたフェイスマスクがある。
【００１１】
特開２０１４−０８７７１３号の、顔面の正中線に対向する縁部が互いに対象形状の左側シート及び右側シートからなり、〜内側面に接着材料を有し、所定の幅で互いに接着した立体フェイスマスク。
【００１２】
特開２０１５−０７１０８５号の、顔面の正中線に対向する縁部が互いに対象形状の左側シート及び右側シートからなり、〜内側面に接着材料を有し、所定の幅で互いに接着した立体フェイスマスク。
【００１３】
特許５７６８０４号公報の、左右双方の耳部に掛け止めるための端部を有するパック用シートがある。
【００１４】
フェイスマスクには、両眼や口に対抗する部分には切り欠き孔や鼻部に対向する部分は切り欠き線を設ける。更には、左右双方の縁部に左右双方の耳部に掛け止めるための切り欠き線を有する端部を設けて、これらシート体は刃型で打ち抜くことによって形成されて、美容液の含浸やシート体には美容効果が得られる原料を含ませられ構成される。
【先行技術文献】
【特許文献】
【００１５】
【特許文献１】特開２００４−２６２９０１号
【特許文献２】特許第４４９２９８０号公報
【特許文献３】特開２００９−０３９１６９号
【特許文献４】特許第５５８３７９９号公報
【特許文献５】特開２０１０−０６９２８７号
【特許文献６】国際公開第２０１４／１４０６６３号公報
【特許文献７】特開２０１４−０８７７１３号
【特許文献８】特開２０１５−０７１０８５号
【特許文献９】特許５７６８０４号公報
【発明の概要】
【発明が解決しようとする課題】
【００１６】
本発明は、視覚障碍者、高齢の方等の目の不自由な方が貼り付け容易なパック用シートを提供することを課題とする。
【課題を解決するための手段】
【００１７】
不織布シートからなる顔面の少なくとも一部を覆うシート体であり、シート体は、顔面の少なくとも一部の目的位置に接触させる接触領域にブラインド形状を有し、接触領域に備えるブラインド形状に指で触れて摘まみ又は引っ掛けて、接触領域を顔面の少なくとも一部の目的位置に導いて貼り付けられることを特長とするシート体で課題を解決する。
【発明の効果】
【００１８】
シート体に、指で触れて或は、指で引っ掛けて、顔への貼りつけ先が分かり、貼りつけが容易で正確なので目の不自由な誰もが顔への宛がい、美容の効能効果が得られる。
【図面の簡単な説明】
【００１９】
【図１】平面視に構成された平面図
【図２】図１の左右双方に耳掛部を有する平面図
【図３】自然繊維と化学繊維の双方を有する１枚の不織布シート
【図４】側面視に構成された平面図
【図５】図４の左右双方に耳掛部を有する平面図
【図６】２枚の不織布シートで構成された枚葉のシート体
【図７】溶着領域の両面に波状を備える平面図
【図８】溶着領域の片面に波状を備える平面図
【図９】側面視を打ち抜く説明図
【図１０】図１の左右双方に引っ掛け部を有する平面図
【図１１】図４の左右双方に引っ掛け部を有する平面図
【発明を実施するための形態】
【００２０】
本願発明は、顔面の少なくとも一部を覆うことができる、不織布シートが平面体に打ち抜かれた1枚のパック用シート符号１の第１実施形態と第２実施形態である。
【００２１】
第１実施形態と第２実施形態は、ブラインド形状を備えたパック用シート（以下、「シート体」という。）に構成されている。
【００２２】
さらに、第１実施形態と第２実施形態のシート体は、液剤を有して構成される。
【００２３】
第１実施形態は、図３の１枚の不織布シート符号１２で構成された1枚のシート体からなる平面視の図１、図２、図１０である。
【００２４】
第２実施形態は、図６の２枚の不織布シート符号１４の輪郭部をシールで繋ぎ合わせる１つの辺符号１３と、顔の鼻筋縦の方向とが合わされて宛がう1枚のシート体からなる側面視の図４、図５、図１１である。
【００２５】
シート体に構成されているブラインド形状に係る以下の技術は、目の不自由な方に楽しい生活や楽しい美容を提供する重宝な発明である。
【００２６】
シート体は、顔面の少なくとも一部の、左と右の額符号２の部位、両眼符号４の部位、左と右の耳部符号１１等（以下、「目的位置」という。）に接触させて貼りつけられる領域（以下、「接触領域」という。）を有している。いくつかの接触領域は、１つ以上のブラインド形状を備える。
【００２７】
ブラインド形状は、打ち抜かれた平面体の一部に、高周波や熱と圧（以下、「シール」という。）を加え化学繊維を溶融させて自然繊維と絡ませて溶融させた領域（以下、「溶着領域」という。）に、指で触れて認識できる形状である。
【００２８】
左右の額部に対応する接触領域のつまみ部に備えるブラインド形状符号３は、つまみ部の少なくとも１部の溶着領域に、指で触れて認識できる凹凸模様や波状の模様の形状が設けられる。
【００２９】
シート体の溶着領域に備えるブラインド形状は、指で触れて認識できる、凹凸符号模様や波状の模様が形成されている。
【００３０】
シート体の、指で引っ掛けられる切り欠き口は、切り欠き口の周囲に形成された溶着領域に、指で触れて認識できる、凹凸模様や波状の模様が形成されている。
【００３１】
更に、溶着領域とブラインド形状は、例えば、左右の切り欠き口の、指を引っ掛けられる両眼部や両耳部等の切り欠き孔の周囲に形成されている。
【００３２】
ブラインド形状が備えられたシート体は、自然繊維と化学繊維の双方が絡む不織布シートに有する溶着領域に設けられる。
【００３３】
本願発明が採用する、ブラインド形状の形態は、例えば、自然繊維と化学繊維の双方が絡む不織布シートに構成されて、薬事に対応する、例えば、液剤含浸のシート体の仕様は薬事の有効期間３ヶ年以上において形態が保持されるものである。
【００３４】
溶着領域にブラインド形状を有する、指で触れて判別できる立体形状や抜き形状は、シート体の輪郭線上やシート体の輪郭線より内側の片面又は両面に設けられる。
【００３５】
ブラインド形状は、視覚障碍者の方、高齢の方、眼鏡を外して、シート体を貼りつける方等（以下、「目の不自由な方」という。）が、例えば、シート体の溶着領域に備えるブラインド形状に指で触れて摘まむ、或は、指で引っ掛けて、顔面の目的位置に接触領域を導いて貼りつけるブラインド美容を行うことができる。
【００３６】
シート体の溶着領域に備えられたブラインド形状に指で触れて、指で摘まみ或は指で引っ掛けて、顔面の貼りつけたい目的位置に導いて接触領域をあてがうことである。
【００３７】
すなわち、目の不自由な方が、つまみ部の少なくとも１部の溶着領域に指で触れ得てブラインド形状を認識し、例えば、指でシート体の上部の左と右に設けるつまみ部を摘まみ、額符号２、額の左部、額の右部にあてがう、又は、両眼の孔に引っ掛けて両眼の部位にあてがう、又は、左右の指で左右の耳部の孔に引っ掛けて左右の耳に掛け止める等の貼り付ける先の位置に導くことである。
【００３８】
顔への宛がい方法は、例えば、使用者は椅子などに掛けて作業をするから、顔への宛がい順序を、最初に額の部位から始めることが有利である。下顎部から始めると、両眼部や額部のシート体が絡むことがあり、貼りつけがたいものである。
【００３９】
詳しくは、例えば、左右の指で、シート体の、上部のつまみ部の少なくとも１部の溶着領域にブラインド形状を左と右に設けて、つまみ部を摘まみ、目的位置の額の左部と額の右部に導き接触領域をあてがう。詳細を以下に述べる。
【００４０】
例えば、シート体の、つまみ部のつまめる溶着領域に指で触れて認識できる形状は、溶着領域にシールで加工された波部、凹部、凸部は、つまめるブラインド形状であり、目的位置に導く形状である。
【００４１】
シート体の輪郭線上に、つまみ部の少なくとも１部の溶着領域にブラインド形状を備えたつまみ部を１つ以上備えている。
【００４２】
顔にあてがう際、鼻筋を軸として、例えば、シート体の左と右の対称のブラインド形状が備えられて、例えば、指で溶着領域に凹凸部を有する左右のつまみを摘まむもしくは、指で切り欠き口周辺の溶着領域に凹凸模様を有する切り欠き口に引っ掛けて持ち上げるとシート体の左右のバランスが取れるから、目的位置に宛がいやすく、接触領域を貼り付けやすい。
【００４３】
ブラインド形状は、左右対称に備えることが好ましい。１つ以上のブラインド形状を摘まむもしくはブラインド形状を備える切り欠き口に指を引っ掛けて、シート体を目的位置に導き、目的位置に接触領域を固定するなど、左右のバランスが維持できれば問題としない
すなわち、左の額部分に対向する左の部位を左の指でつまみ、シート体の右の額部分に対向する右の部位を右の指でつまむことができる工夫の、接触領域である溶着領域に予めシールで固められた立体形状を備えている。
【００４４】
シート体に別途、例えば、他からの樹脂加工やゴムやホットメルト等による凹凸等をシート体に固着して設けられて、指で触れてブラインド形状と判別できる立体形状であってもよい。
【００４５】
つまみ部に代えて、指で引っ掛ける図１０、図１１の、シート体の溶着領域にブラインド形状と打ち抜き部を備えた、左右の指でシート体の上部に備える１つ以上の、左と右に指で引っ掛けが可能に打ち抜かれた引っ掛け部符号２５を有し、例えば、打ち抜きの孔や切り欠き線等を設けて、左右の指で引っ掛けて、目的位置である額の左部と額の右部に導き接触領域をあてがう詳細を以下に述べる。
【００４６】
シート体は、溶着領域にブラインド形状を有し、目的位置に導いて貼り付ける、例えば、つまみ部の少なくとも１部の溶着領域に引っ掛ける孔を設け、左右の指を両眼の孔に引っ掛けて両眼部にあてがう、又は、左右の耳部の孔に指を引っ掛けて左右の耳に掛け止める、又は、額にあてがう接触領域を備えている。
【００４７】
溶着領域にブラインド形状を備える切り欠き口の抜き部、切り欠き部は、例えば、指をこれらに、引っ掛けると、親指と人差し指又は中指が、抜き部を通して直に接触させることでブラインドであることが分かり、ブラインド美容が可能な形状である。
【００４８】
ブラインド形状を有し、指で引っ掛けられる形態は、シート体の輪郭線の内側に、指で引っ掛け可能な、切り欠いて設けられた切り欠き孔や切り欠き線（以下、「切り欠き口」という。）の周囲の溶着領域に備えている。
【００４９】
例えば、シート体に設ける孔や切り欠き線や両眼部の孔や左右の耳に掛け止める耳かけ部の孔や切り欠き線の周囲の溶着領域に凹凸模様や波部模様等のブラインド形状を有する。
【００５０】
溶着領域にブラインド形状を備えた切り欠き口は、ブラインド美容において、液剤が少なくとも一つの切り欠き口の縁を伝い眼の中や耳の中に侵入して嫌な思いをさせる、或は、シート体の輪郭線近傍の髪の毛が液剤で汚されることを未然に防ぐ効果を持ち合わせている。
【００５１】
ちなみに、切り欠き口は、切り欠かき口の周囲の領域にシール加工を加えて化学繊維を溶融させて自然繊維と絡ませて溶着された領域（以下、「溶着領域」という。）符号２１を備えている。
【００５２】
切り欠き口に有する溶着領域は、貼りつけた際の、溶着領域以外の領域に存在する液剤が切り欠き口の縁を伝い眼の中や耳の中等に侵入して、或は、シート体の輪郭線近傍の髪の毛が汚されることを未然に防ぐ、切り欠き口近傍を液剤で汚さない機能である。
【００５３】
シート体の左右をもって宛がう際、液剤が垂れるので、貼りつけた際の溶着領域は、切り欠き口の縁の、好ましくは、上半分の全体に、例えば、弧を帯状に有し、さらに好ましくは全周にわたって帯状に形成される。
【００５４】
加えて、切り欠き口に設けられた溶着領域にわずかな液剤の量を溜めるための、以下の符号１５と符号１６の溜める部位を設けることができる。
【００５５】
溶着領域に液剤を溜める、更に、ブラインド形状を備える。例えば、両眼部や鼻部や口部や耳部の、複数の切り欠き口の少なくとも１つに設けられた溶着領域の一部にわずかな液剤を溜める部位（以下、「溜め部」という。）を設ける。
【００５６】
溶着領域に備えられた溜め部は、溶着領域以外に存在する液剤が切り欠き口の縁を伝い眼の中や鼻の孔や口の中や耳の中に侵入して汚される状態を未然に防ぐ発明である。
【００５７】
液剤を溜める部位は、好ましくは切り欠き口の上側に位置する弧を描いた帯状の溶着領域に、さらに好ましくはすべての領域の帯状に設けられる。
【００５８】
溜め部は、シール治具やプレス治具の両面または片方の面の少なくとも一部に、シート体の溶着領域を互いの治具が挟み押し合わせて形成された図７の双方の面に溜め部符号１６の模様を設ける、又は、図８の片方の面に溜め部符号１５の模様を設ける。
【００５９】
更に、溶着領域にブラインド形状を備えた図７の符号１６又は図８の符号１５の形状は、指で触れて認識可能であり、ブラインド美容において、ブラインド形状も兼ねている。
【００６０】
両眼部に設ける蓋状のフラップなる形状にも本願発明が適用される。
【００６１】
更に、溶着領域に備えるブラインド形状は、顔に貼りつけるシート体の、左の額部分に対向する左の部位を左の指で引っ掛けて、右の額部分に対向する右の部位を右の指で引っ掛けて、シート体を貼り付ける目的位置に接触領域を導いて貼りつけられるものである。
【００６２】
指で引っ掛けるブラインド形状には、例えば、打ち抜きの円や孔、切り欠きの線等が設けられており、近傍の領域には予めシールで固められた溶着領域を備えている。
【００６３】
目の不自由な方が確認できるための、シート体を封入した包装袋のシール部を通常よりも大きく備えて、開け口等の印を設ける。
【００６４】
更には、例えば、シート体を封入している包装袋及び包装箱に触れて使用方法が確認できる凹凸などの文字を設けるとよい。
【００６５】
顔面に対向するシート体の、額の真ん中から鼻筋を経て下顎真ん中、首元真ん中までの縦の方向に、シート体を顔に貼りつける際の、目的位置に導き可能な、中央のゾーンに溶着領域（以下、「中央帯」という。）符号７を設け、溶着領域には凹凸模様等ブラインド形状を備えている。
【００６６】
ブラインド形状の中央帯は、目の不自由な方にブラインド美容用法には指で触れて認識可能なブラインド形状である。
【００６７】
シート体を顔に貼りつける際の、指に触れて、例えば、溶着領域を備える左右双方の目頭と目頭の間の距離の広がりは、熱シールを設けた中央帯の有利は、左右双方の縁部や左右双方の端部を違う外側方向に引っ張っても、加えて、中央帯がシールされている溶着領域であるから、横幅方向への広がりの度合いが低く、左右双方の目頭と目頭の間の距離の安定に繋がり、肌にフィットした状態が保たれる。
【００６８】
縦に抜く方法に備えるブラインド形状なる中央帯の有利は、中央帯を押さえながらシート体の縁部やシート体の左右双方に設ける端部を引っ張ることで、シート体が顔の幅方向に延び広がるから、矯正を一時的に体感させる。
【００６９】
ブランド形状なる、左右双方の耳部に掛け止めるシート体の、宛がう際に中央帯を押さえながら、左右双方の耳部に掛け止めると、溶着領域を備えた切り欠き口端部を外側方向に引っ張ることで、シート体が顔の幅方向に延び広がり貼りつけられる。
【００７０】
更に、左右双方の端部を左右双方の耳部に掛け止めることで、フィット感や矯正感やリフティング感を継続させて、矯
正やリフティングの美容効果を期することができる。
【００７１】
ブラインド形状を備えたシート体を構成する不織布シートは、自然繊維と化学繊維の双方の繊維が混合されて絡み合い、例えば、カーディングの工程によって１枚の不織布シートに構成されていることが好ましい。
【００７２】
ブラインド形状を備えたシート体を構成する不織布シートは、ゴムやホットメルトや樹脂などの固着加工ができる１枚の不織布シートであってもよい。
【００７３】
本願発明の、シート体を構成するための、不織布シートの打ち抜く工程は、少なくとも１本の巻きロールの引っ張る機械の方向に顔の鼻筋縦の方向を合わせて不織布シートを打ち抜く方法（以下、「縦に抜く方法」という。）により打ち抜かれることが好ましい。
【００７４】
縦に抜く方法は、不織布シートが持ち合わせている、例えば、縦の方向には伸びず、横幅の方向に延びる特性を利用できる。
【００７５】
縦に抜く方法によって打ち抜いたシート体を顔に貼りつけると、顔の縦の方向に伸びず、顔の横幅方向に延びるから、貼りつけた際に、顔の横幅方向に延びてフィットさせながら貼りつけられる特長を有する。
【００７６】
ブラインド形状を備えたシート体の、輪郭線上に１つ以上のつまみ部の少なくとも１部の溶着領域にブラインド形状を備え、両眼部や両耳部の切り欠き口の周囲の溶着領域に凹凸模様等のブラインド形状と溜め部を備え、それぞれ複数の組み合わせを実施することで相乗効果を得ることができる例を、以下に述べる。
【００７７】
シート体は、輪郭線上に備えられた左と右のつまみ部のブラインド形状と両眼部のブラインド形状を有し、顔に貼りつけるブラインド美容用法の相乗効果は、額部と両眼部の２つの目的位置に導いて、接触領域をよりスムーズに正確に目的位置に貼り付けることができる。
【００７８】
左の指で左のつまみ部の少なくとも１部の溶着領域に有するブラインド形状に触れて左のつまみ部を摘まんで額の左部に宛がい、右の指で右のつまみ部の少なくとも１部の溶着領域に有するブラインド形状に触れて右のつまみ部を摘まみ額の右部に宛がい貼り付ける。
【００７９】
加えて、左の指で左の切り欠き口の溶着領域ブラインド形状に触れて、右の指で右の切り欠き口の溶着領域のブラインド形状に触れて、双方の切り欠き口に指を掛けてフィットさせる等して、スムーズに貼りつけることができる。
【００８０】
ブラインド形状を有する切り欠き孔及び切り欠き線は、例えば、孔に指を通すことで、親指と人差し指および中指が直にふれるから、ブラインド形状やあてがい先が確認できる。
【００８１】
これら２つのブラインド形状を備えることでスムーズに正確に貼りつけることができる。更に、縦に抜く方法も加わり、顔の横幅方向に延びて顔面にフィットされて貼りつけられる。
【００８２】
シート体は、左と右のつまみ部の少なくとも１部の溶着領域にブランド形状と、切り欠き口及び周囲の溶着領域にブラインド形状を備えて、両眼部のブラインド形状と左右耳部のブランド形状を有し、顔に貼りつけるブラインド美容用法の相乗効果は、３つの目的位置に導いて、接触領域をよりスムーズに正確に目的位置に貼り付けることができる。
【００８３】
シート体の、左の指で左のつまみ部の溶着領域に有するブラインド形状に触れてつまみ部を摘まみ、額の左部に宛がい、右の指で右のつまみ部の溶着領域に有するブラインド形状に触れてつまみ部をつまみ額の右部に宛がい貼り付ける。
【００８４】
加えて、シート体の、左の指で左の切り欠き孔のブラインド形状を有する溶着領域に触れて、右の指で右の切り欠き孔のブラインド形状を有する溶着領域に触れて、双方の切り欠き口に指を掛けて、近傍を指で馴染ませてフィットさせる等して貼りつける。
【００８５】
更に加えて、左の指で左の耳に掛け止める孔の溶着領域に有するブラインド形状に触れて、右の指で右の耳に掛け止める孔の溶着領域に有するブラインド形状に触れて、左右双方の切り欠き口に指を掛けて左右双方の耳部に左右双方の端部を左右双方の耳に掛け止める。
【００８６】
これら３つのブラインド形状を備えることでスムーズに正確に貼りつけることができる。更に、縦に抜く方法も加わり、顔の横幅方向に延びて顔面にフィットされて貼りつけられる。
【００８７】
これら、シート体の、貼り付ける順序の有利は、椅子などに座りながら貼り付ける場合、例えば、口部を先にあてがい貼り付けるよりも、最初に左と右の額部に左と右のつまみ部を導いて宛がい、続いて順々に両眼部、鼻部、口部と続くとスムーズに貼りつけられる。
【００８８】
溶着領域にブラインド形状を有して左右の耳かけ部を備えた、リフティング用法によっての効果を継続させられる図２、図５及び図２、図５の上部に指で引っ掛けられる引っ掛け部を有する仕様は、シート体の左右双方の縁部に有する少なくとも１組の端部に、左右の耳に掛け止める１つの切り欠き孔に左右の指で引っ掛けて、左右双方の耳に左右双方の端部を掛け止めればよい。
【００８９】
耳に掛け止めるフリーサイズとするための仕組みは、少なくとも１つからなる切り欠き孔に切り残し部と切り欠き孔を設けるとよい。
【００９０】
本願発明の図１、図２、図１０のブラインド形状が構成されたシート体は、図３に説明の１枚の不織布シートが打ち抜かれて形成されたシート体を顔にあてがうものである。
【００９１】
図４、図５、図１１のブラインド形状を備えるシート体は、図９に説明の、少なくとも2本の不織布ロール符号１７と符号１８から縦方向符号１９に引き出される、少なくとも２枚の不織布シート符号１４の、互いの引っ張り方向が縦方向に引き出される並列の並びであり、互いのシートの繊維の向き方向の並びが並列の状態である。
【００９２】
互いの不織布シートの縁部と縁部が鼻筋縦の方向と合わせた１辺符号１３であり、１辺に有する互いの化学繊維を熱で溶融させて溶着して繋ぎ合わされた帯状のシール帯（溶着領域）を備えている。更に、溶着領域にブラインド形状を備えることが好ましい。
【００９３】
帯状のシール帯の中央帯は、ブラインド形状の役割も兼ねている。
【００９４】
少なくとも２枚に並び前記不織布シートの縁部と縁部がシールで繋ぎ合わされて枚葉に広げられる側面視の形態である。
【００９５】
本願発明の側面視のシート体は、不織布シートと不織布シートが積層された積層体の薬事の製品と異なることを述べる。
【００９６】
従来品の積層による積層体のフェイスマスクは、複数の不織布シートを重ねて薬事の効果がデーターによって裏付けて構成されている薬事の製品である。
【００９７】
積層体のフェイスマスクは、薬事の効能効果と安全性と安定性とを備えて顔に貼りつけられるフェイスマスクである。更に、フェイスマスクの構成は、少なくとも１箇所を熱や糊等で接着或は固着させて積層した互いの不織布シートが剥がれることが防止された１枚のフェイスマスクである。
【００９８】
薬事製品は、用法と容量が定められて、貼り付ける際、積層された不織布シートの互いが剥がれることなく１枚のフェイスマスクで貼りつけられることが効能効果を得ることにおいて必須の条件である。
【００９９】
既製品の積層体フェイスマスクは、能書においても、薬事の効果に期する安全性・安定性データーに伴い、いずれかの面を用法に従い顔にあてがう使用方法も必須の条件である。
【０１００】
既製品の積層体フェイスマスクは、複数の不織布シートがばらけることなく単体（一体化）での裏付けデーターによっての効能効果を定められており、定められた用法によっての効能効果が求められている。
【０１０１】
薬事製品を異なった用法の、例えば、積層の一部を剥がして使用する等の用法は、効能効果に裏付けの安全性・安定性などの保障の対象ではない。
【０１０２】
本願発明の図６の図４と図５と図１１は、従来品の積層と積層体とは異なるものである。以下に述べる。
【０１０３】
図６の図４と図５と図１１は、複数枚の不織布シートの縦方向に引っ張る方向が同じ向きであり、双方の不織布シートの繊維の並びは同じ方向に並ぶ。１枚毎の不織布シートの縁部と縁部とが溶着によって並列様式で並ぶ枚葉である。
【０１０４】
シート体は、１枚の不織布シートに鼻筋縦の方向と同じの並びで繋ぎ合わされて、枚葉の状態を、顔に貼りつける用法によって効能効果が得られる。
【０１０５】
ブラインド形状を有するシート体の、互いの不織布シートとシートの互いの縁部が溶着された１辺の領域を鼻筋縦の方向にあてがう中央帯は、中央帯を支点として、中央帯と反対の横幅方向の縁部の、互いの不織布シートと不織布シートとの縁部が相反する方向に開け広げて顔にあてがう用法である。
【０１０６】
すなわち、繋ぎ合わされた単なる中央帯の領域は、肌に貼りつけた際に肌に面しない、薬事の効能効果を訴求しない繋ぎである。従来の薬事製品が示す積層や積層体の定義の範囲外である。
【０１０７】
加えて、本願発明は、従来品の発明に既採用の、互いの不織布シートの縁部を合わせて貼り付けるための、例えば、熱シールの、接着強度やシール速度を促進するための樹脂の粉末や繊維等の接着のための補助剤は使用しないことが好ましい。更に、縫製や糊等による加工の方法を用いないことが好ましい。
【０１０８】
溶着領域にブラインド形状を備える本願発明と不織布シートの目付がかなり低い相乗効果は、例えば、３０ｇ／ｍ２程度の不織布シートは、横方向にはかなり弱く広がりシートの構成が壊れやすく、大きく延び広がるから、不織布シートの縦の方向を顔の横幅方向に合わせて打ち抜いて、両眼部や鼻部や口部等の切り欠き口の周囲に溶着領域を備えてブラインド形状を設けると、シールにより繊維と繊維が固着されて強度が得られる。
【０１０９】
更に、貼り付けた際の、顔の鼻筋方向には、不織布シートが伸びすぎることの防止に繋がり、幅方向には不織布の機械方向が面するから延びることなく、目と口の位置が大きくずれること無く顔に貼り付けることができる。
【０１１０】
ブラインド形状と溶着領域以外のシート体には通常の含浸率による液剤の含浸量が存在する。ブラインド形状と溶着領域には以下の事例に示す通りに、自然繊維が存在することによって、わずかな液剤が自然繊維に含浸されていることから、ブラインド形状と少なくとも溶着領域の面にも液剤が存在する。
【０１１１】
「溶着領域の、自然繊維には極僅かに液剤を有している」は、公知の薬事試験の事例が存在する。
【０１１２】
樹脂フィルムシート／自然繊維の不織布シート／樹脂フィルムシートを構成する包装体の内部に液剤を設け、周囲をシールで密閉する包装体の、薬事の有効期間３ヶ年間以上に値する薬事試験において、辺の裁断部に自然繊維の不織布シートが現れているから、自然繊維には液剤が存在して、自然繊維を介し、伝い外部に滲出させて、当初の充填量が規定容量内に保持できない、薬事の製品に満たない事例が存在する。
【０１１３】
すなわち、本願発明のブラインド形状と溶着領域の、自然繊維には液剤が含まれている。
【０１１４】
加えて、ブラインド形状と溶着領域の自然繊維の含浸と含浸率は、自然繊維と化学繊維の双方の繊維を有する化学繊維が熱で溶融させられて、更に、熱シール等の治具によって溶着させられて、自然繊維が圧縮された状態で化学繊維の溶融と絡まった状態である。
【０１１５】
よって、ブラインド形状と溶着領域に絡まる溶着及び圧が施された自然繊維の液剤の含浸率は、溶着領域以外の自然繊維よりもかなり低い状態であるが、自然繊維に液剤が含浸されて存在している。
【０１１６】
ブラインド形状を有する溶着領域の面は、液剤の原料と少なくとも３ヶ年間の期間接触するから、或は、カーディング（繊維の混合）及び量産工程から溶着領域の面は全て化学繊維が溶融した樹脂とは限らず、自然繊維もあるから含浸した状態であるので、少なくとも一部の面にも液剤は付着する状態である。
【０１１７】
すなわち、ブラインド形状の溶着領域に付着した液剤を指部で欠き取って、顔面に貼り付けることで、溶着領域に面する近傍の部位を液剤で汚さないものである。
【０１１８】
更に、ブラインド形状と溶着領域に付着した液剤を指部等で欠き取った後の、溶着領域以外からの液剤が溶着領域を越えて切り欠き孔の縁を伝い液剤が、切り欠き口に移行することについては、例えば、貼り付けている使用の例は、１５分と短い時間だから問題としない。
【０１１９】
これらの対処とする既製品の事例は、既製品のフェイスマスクにおいて、液剤が浸入する不愉快な事例を防ぐための、従来品の裏面等の能書に、例えば、使用の注意事項として、眼の中や鼻の孔や口の中や耳の中に液剤が浸入した場合の不愉快な思いの対処方法の例を示している。
【０１２０】
例えば、なまぬるいお湯などですぐに洗い流す。や専門医に相談をする等が記載されている。
【０１２１】
顔面に対向してブラインド形状を有し、少なくとも顔の一部に貼りつけられるシート体を構成する要素（配置）は以下に記述する。
【０１２２】
シート体を構成する任意の要素は、少なくとも顔の一部を覆うための輪郭線符号１０を設け、額部符号２を設け、両眼符号４に対向する切り欠き孔を設け、左右双方の耳符号１１に掛け止める端部を設け、呼吸するための鼻符号６の穴部には少なくとも１つの穴部やＵ字型の切り欠き線を設け、左右双方の鼻翼から鼻尖を経て鼻翼を結ぶ直線又は鼻部下端の曲線に沿った切り欠き線を設け、口部符号５には少なくとも１つの切り欠きの楕円孔や小孔や多角の穴を設ける。
【０１２３】
シート体には目の不自由な方にも美容の用法ができるための、指で触れて確認できる、溶着領域にブラインド形状の凹凸部や波部等が備えられた、左右双方に、指先等が触れるもしくは引っ掛ける等の、左右の指でつまみ持ち上げるとシート体に左右のバランスが備わる。
【０１２４】
これらは、熱シールの治具や溶断や刃型で形成される。
【０１２５】
第一実施形態は、１つ以上の溶着領域に指で触れてわかる凹凸や溝部等を備えており、図１の少なくとも顔の一部に貼り付けて覆うことができるシート体であり、図２は図１の左右双方の縁部に、少なくとも１組の左右双方の耳部に掛け止めるための少なくとも１つの切り欠き孔と孔の周囲に指で触れてわかる凹凸や溝部等を備えた端部符号１１を有している。
【０１２６】
図１と図２と図１０は、図３の自然繊維と化学繊維の双方の繊維を有する１枚の不織布シートで構成されて、縦に抜く方法で打ち抜かれてブラインド形状を備えた平面視のシート体である。
【０１２７】
第二実施形態は、図４の左右双方の縁部に、図５との少なくとも１組の左右双方の耳部に掛け止めるための少なくとも１つの切り欠き孔や図１１の指が引っ掛かる端部を有している。
【０１２８】
図４と図５と図１１は、図６の自然繊維と化学繊維の双方の繊維を有する２枚の不織布シートの互いの縁部を熱で溶融して溶着することで構成された側面視のシート体である。
【０１２９】
本願発明の、側面視の、図４の少なくとも２枚からなる不織布シートで構成するパック用シート符号２４は、顔の側面視（例えば、側面から見た、額部、眼部、鼻部、ほほ部、口部、顎部、喉部や首元部の少なくとも一部の部位を備えた形状）である。
【０１３０】
側面視の、溶着領域にブラインド形状の凹凸部や波部等を備えるシート体は、左と右のつまみ部又は引っ掛けるブランド形状と、切り欠き口及び周囲の溶着領域にブラインド形状を備えて、両眼部のブラインド形状と左右耳部のブランド形状を有し、顔に貼りつけることができる。
【０１３１】
縦に抜く方法の、少なくとも２本の不織布シートのロールから引っ張り出す縦の方向（機械方向）と鼻筋縦の方向を合わせて、顔の側面視を構成して、更に、首元部に至る形状である。
【０１３２】
図５は、図４の左右双方の縁部に少なくとも１組の左右双方の耳部に掛け止めるための少なくとも１つの切り欠き孔と孔の周囲に溶着領域とブラインド形状が備えられた端部を設けている。
【０１３３】
側面視の有効な実施の例は、シート体の額のから鼻筋縦の方向を経て首元部を結ぶ真ん中のシール帯を鼻筋縦の方向に貼りつけながら、左縁部と右縁部を同時に左の耳部近傍と右の耳部近傍に矯正的に引き上げ続けると、本願発明の抜き方法が、鼻の縦方向に対して右と左の方向に延びることからフィットして貼り付けられる。
【０１３４】
例えば、雪国の子供が藁で作られた帽子を頭からすっぽり被るが如く装着して、立体形状の顔面にフィットして貼り付けられるものである。
【０１３５】
顔にあてがう目安のシール帯は中央帯を兼ねており、更に、ブラインド美容を行う際のブライン形状も兼ねている。
【０１３６】
ブライント美容の、側面視の形態の左右双方の端部に左右双方の耳部に掛け止めるための、少なくとも１つの切り欠き孔と孔の周囲に融着領域とブラインド形状を備えた端部を設けて、左右の指で触れて、指を孔に引っ掛けて左右双方の耳部に掛け止めることで、スムーズに正確に貼り付けられて、美容の効果を継続する用法が行える。
【０１３７】
本発明の、溶着領域にブラインと形状を備える、少なくとも一部の顔を覆う平面視の、顔面から首元部までの領域を任意に覆うシート体の形態を、例えば、６つのタイプの平面体に打ち抜かれ構成される例を記述する。側面視となる縦や横のサイズ、更には、耳部に掛け止める仕様は企画で考慮されたい。
【０１３８】
例えば、シート体の形態は、ほぼ顔を覆う額の上部から下顎部分まで凡そ１９０ｍｍ、左の頬部の縁部から右の頬部の縁部までは凡そ２１０ｍｍ、の形状である。
【０１３９】
例えば、シート体の形態は、ほぼ顔を覆う額の上部から下顎裏部分まで凡そ２１０ｍｍ、左の頬部の縁部から右の頬部の縁部までは凡そ２１０ｍｍ、の形状である。
【０１４０】
例えば、シート体の形態は、ほぼ顔を覆う額の上部から左右双方のほほ部を経て喉部分まで凡そ２４０ｍｍ、左の頬部の縁部から右の頬部の縁部までは凡そ２１０ｍｍの形状である。
【０１４１】
例えば、シート体の形態は、ほぼ顔を覆う額の上部から左右双方のほほ部を経て首部分まで凡そ２６０ｍｍ、左の頬部の縁部から右の頬部の縁部までは凡そ２１０ｍｍ、の形状である。
【０１４２】
例えば、シート体の形態は、ほぼ顔を覆う額の上部から左右双方のほほ部を経て首元部分まで凡そ２８０ｍｍ、左の頬部の縁部から右の頬部の縁部までは凡そ２１０ｍｍ、の形状である。
【０１４３】
例えば、セパレーツ型のシート体の形態は、額の上部から左右双方のほほ部から頸部までの凡そ２００ｍｍ〜２８０ｍｍ、を鼻筋縦の方向に対して横の方向となる、上部分と下部分に任意に分けて覆う形態である。
【０１４４】
側面視の打ち抜きの説明図を図９に示す。
【０１４５】
少なくとも１本の不織布ロールから引き出された不織布シートの互いの縁部を繋ぎ合わせるので、例えば、符号１７の不織布ロールと符号１８の不織布ロールとが符号１９の引っ張る縦の方向に引き出されて、シールで互いの不織布シートと不織布シートの双方の化学繊維が、少なくとも互いの一部の化学繊維が溶融して自然繊維と絡まる状態で溶着領域とブラインド形状が設けられている。
【０１４６】
シールされた中央帯は２枚の不織布シートの額から鼻筋縦方向を経て下顎中央部に沿った形状に合わされて形成されるものである。刃型や溶断で形成される。
【０１４７】
本願発明の不織布シートは、例えば、自然繊維のコットンやテンセルやパルプ等と化学繊維のポリエチレン、ポリエステルフタレート、ポリプロピレン等の、双方の繊維を有していることが好ましい。不織布シートの目付１０〜１２０（ｇ／ｍｍ２）を用いるとよい。
【０１４８】
自然繊維と化学繊維の双方の繊維を有する化学繊維の割合は、熱伝導と溶融と溶着を左右する。
【０１４９】
加えて、不織布シートは、ブラインド形状を構成する場合によっては、不織布シートの構成を選択することができる。
【０１５０】
不織布シートに固着されてブラインド形状となる形状は、薬事期間中保持できるものであればよい。
【０１５１】
不織布を構成する双方の繊維の配合は、量産のスピード、液剤の粘度、液剤の処方、薬事の試験等の条件によって決めるとよい。自然素材の、肌への効果がある、例えば、炭等を練り込むとい。不織布シートの種類や目付等の選択、加工は任意である。
【０１５２】
液剤は、薬剤である化粧品、医薬部外品、医薬品の効能効果が得られる、液状、クリーム状、パウダー状、ペースト状等である。
【０１５３】
薬剤以外の材料は、例えば、「冷感（体温、かぜ熱を下げる）：小麦粉＋水」、「温感、発汗（体温を上げる）：唐辛＋小麦粉＋水」、「美容（野菜）パック：キュウリのスライスパック」、「泥（クレイ）：泥パック」「炭の粉：皮脂や汚れや古い角質の吸着や臭いの吸着パック」等であり、薬事の範囲外の原料である。
【０１５４】
本願発明のシート体と液剤との封入は、例えば、バリアを有する袋、チャック機能を有する袋、フラップなる蓋を有する袋や樹脂容器等（以下、包装体という）に封入されるとよい。シート体はドライの状態で包装体に封入されてもよい。
【０１５５】
シート体の折り畳みの方法は、例えば、シート体の輪郭線の上の部位の左と右に溶着領域とブラインド形状を有し、左右対称の鼻筋縦軸を中心にして、左右双方の縁部と縁部を左右二つに折り合わせて、鼻筋縦軸の辺を設け、辺の長手方向の、額上部と下顎部とが長手方向と交差する任意の線で折り重なり畳まれる。
【０１５６】
更には、取り出した際、左右の溶着領域のブラインド形状に指で触れて、それぞれを摘まみもしくは引っ掛けて、目的位置に貼りつける接触領域が備えられている。
【０１５７】
加えて、取り出して広げる際、左右のブラインド形状の備える位置をずらすと、つまみと引っ掛ける作業が手早く、更に、平面体への展開及び接触領域を目的位置に導きが可能である。
【０１５８】
包装体に封入される際の、上述の折り合わせの、折り合わせた顔の縁部の部位と鼻筋縦軸の辺を少なくとも１回折り合わせる折り畳みの工程を加えるとよりコンパクトとなり、包装袋への封入が容易である。
【０１５９】
シート体に設ける両眼は、両眼に対応する箇所には長軸が顔面の横方向である切り欠き孔を設け、又は両眼に対応する個所に両眼を覆う蓋状体を有し、蓋状体は、目尻付近と目頭付近とを結ぶ連続した切り欠き線又は一部不連続部を有する切り欠き線により形成されるフラップを設ける。
【０１６０】
シート体に設ける切込み線符号８と切り残し部符号９の線は、貼り付ける際に切り込み線で両断して設けられた互いの片が互いもつれることなく、貼り付ける際に切り残し部を千切りながら順序良く貼り付けると少なくとも数多くの人たちへの、サイズ合わせができて作業性が向上する。
【０１６１】
不織布シートの、縦に抜く方法による不織布の横方向に広がる特性に加えて、少なくとも１つの凹部又は凸部に対向する領域に、顔面の鼻筋に沿って縦方向もしくはやや斜め方向のミシン目状の切り込み線を複数列設けると、より横方向に延びる、双方の特長が相俟って、顔の横幅の方向にスムーズに延び広がらせてよりフィットさせて覆い貼り付けることができる。
【０１６２】
医療目的の、例えば、治癒シートや湿布シート等の形態や技術は、本発明の形態や技術に準ずるとよい。
【０１６３】
本願発明に加えて、本願発明の出願人が既に出願した特許第４３５２４１６号公報、特許第４９９５９８１号公報、特許第５０６６７２２号公報、特許第５４５７５１５号公報の、基剤を含んだシートを採用する、或は、樹脂フィルムを採用するシート体の、片面または両面に樹脂フィルムや不織布等を備えて構成するシート体を用い、貼り付けることができる技術と併せることでより使用性が増すので何ら問題としない。
【実施例】
【０１６４】
目の不自由な方の、美容の作業と美容効果を期する実施例は、包装体のシール部に切り口の形態を確認し、シート体に備える溶着領域とブラインド形状の、例えば、輪郭線の左右双方に備えられたつまみ部の少なくとも１部の溶着領域に化学繊維を溶融させて固めた或は、固めた面を打ち抜いた、ブラインド形状を指で確認しながら、接触領域である左のつまみを目的位置である額の左部に、接触領域である右のつまみを目的位置である額の右部に導き、接触領域を目的位置にあてがい貼りつけるとよい。
【０１６５】
左右のバランスを維持しながらあてがう実施例は、例えば、シート体の左右対称ブラインド形状を摘まみ或は指で引っ掛けて、左右のバランスを確認しながら、目的位置に接触領域を導いて貼りつける。
【０１６６】
更に、左右双方の縁部に左右双方の耳部に掛け止めるための端部にブラインド形状を有するシート体は、右の指で触れて目的位置である右の耳に、右の端部である接触領域を掛け止めて、左の指で触れて目的位置である左の耳に、左の端部である接触領域を掛け止める。
【０１６７】
シート体に複数のブラインド形状を備えている場合、能書の使用する順序に従い、例えば、目的位置の、額の左部から右部を貼り付けて、次の目的位置の両眼部を貼り付けて、最後の目的位置の左と右の耳かけ部を掛け止めて貼りつけるとスムーズに正確である。
【０１６８】
貼りつける時間は凡そ１５分程度が目安であり、包装体に記載された用法に準ずる。
【符号の説明】
【０１６９】
１    平面視のパック用シート
２    額
３    ブラインド形状
４    両眼部
５    口部
６    鼻部
７    中央帯
８    切込み線
９    切り残し部
１０    輪郭線
１１    耳部
１２    １枚の不織布シート
１３    １辺
１４    ２枚の不織布シート
１５    片面の波状
１６    両面の波状
１７    不織布ロール
１８    不織布ロール
１９    引っ張る縦方向
２０    横幅方向
２１    溶着領域
２２    右の縁部
２３    左の縁部
２４    側面視のパック用シート
２５    引っ掛け部
【図１】
2018023623.tif 000003
【図２】
2018023623.tif 000004
【図３】
2018023623.tif 000005
【図４】
2018023623.tif 000006
【図５】
2018023623.tif 000007
【図６】
2018023623.tif 000008
【図７】
2018023623.tif 000009
【図８】
2018023623.tif 000010
【図９】
2018023623.tif 000011
【図１０】
2018023623.tif 000012
【図１１】
2018023623.tif 000013